(57)【特許請求の範囲】
【請求項１】
第１情報が入力される第１入力部と、第２情報が入力される第２入力部と、情報を可変表示する第１主表示部と、前記第１情報に対応する情報を第１表示属性により表示し、前記第２情報に対応する情報を前記第１表示属性とは異なる第２表示属性により表示するように前記第１情報および前記第２情報に応じて前記第１主表示部を制御する第１制御部と、を含む第１積層信号灯と、
第３情報が入力される第３入力部と、第４情報が入力される第４入力部と、情報を可変表示する第２主表示部と、前記第３情報に対応する情報を第３表示属性により表示し、前記第４情報に対応する情報を前記第３表示属性とは異なる第４表示属性により表示するように前記第３情報および前記第４情報に応じて前記第２主表示部を制御する第２制御部と、を含む第２積層信号灯と、
前記第２入力部への前記第２情報の入力のために操作者によって操作される第１操作部と、
前記第４入力部への前記第４情報の入力のために操作者によって操作される第２操作部と、を含み、
前記第１情報は、前記第１積層信号灯に対応付けられた機械装置を制御する制御装置から出力される情報であり、
前記第３情報は、前記第２積層信号灯に対応付けられた機械装置を制御する制御装置から出力される情報であり、
前記第１入力部への前記第１情報の入力に応じて、前記第１制御部は、前記第１表示属性の属性値を変更し、
前記第２入力部への前記第２情報の入力に応じて、前記第１制御部は、前記第２表示属性の属性値を変更し、
前記第３入力部への前記第３情報の入力に応じて、前記第２制御部は、前記第３表示属性の属性値を変更し、
前記第４入力部への前記第４情報の入力に応じて、前記第２制御部は、前記第４表示属性の属性値を変更し、
前記第１積層信号灯は、
前記第１主表示部の表示状態に関する情報を外部出力し、前記第２主表示部の表示状態に関する情報が入力される第１出入力部と、
前記第１制御部によって制御される第１副表示部であって、前記第２主表示部の表示状態に関する情報が前記第１出入力部に入力されると、前記第２主表示部に表示される情報に対応する情報を表示する第１副表示部と、をさらに含み、
前記第２積層信号灯は、
前記第２主表示部の表示状態に関する情報を外部出力し、前記第１主表示部の表示状態に関する情報が入力される第２出入力部と、
前記第２制御部によって制御される第２副表示部であって、前記第１主表示部の表示状態に関する情報が前記第２出入力部に入力されると、前記第１主表示部に表示される情報に対応する情報を表示する第２副表示部と、をさらに含む、報知システム。
【請求項２】
第５情報が入力される第５入力部と、第６情報が入力される第６入力部と、情報を可変表示する第３主表示部と、前記第５情報に対応する情報を第５表示属性により表示し、前記第６情報に対応する情報を前記第５表示属性とは異なる第６表示属性により表示するように前記第５情報および前記第６情報に応じて前記第３主表示部を制御する第３制御部と、を含む第３積層信号灯と、
前記第６入力部への前記第６情報の入力のために操作者によって操作される第３操作部と、をさらに含み、
前記第５情報は、前記第３積層信号灯に対応付けられた機械装置を制御する制御装置から出力される情報であり、
前記第５入力部への前記第５情報の入力に応じて、前記第３制御部は、前記第５表示属性の属性値を変更し、
前記第６入力部への前記第６情報の入力に応じて、前記第３制御部は、前記第６表示属性の属性値を変更し、
前記第３積層信号灯は、
前記第３主表示部の表示状態に関する情報を外部出力し、前記第１主表示部および前記第２主表示部のそれぞれの表示状態に関する情報が入力される第３出入力部と、
前記第３制御部によって制御される第３副表示部であって、前記第１主表示部の表示状態に関する情報が前記第３出入力部に入力されると、前記第１主表示部に表示される情報に対応する情報を表示する第３副表示部と、
前記第３制御部によって制御される別の第３副表示部であって、前記第２主表示部の表示状態に関する情報が前記第３出入力部に入力されると、前記第２主表示部に表示される情報に対応する情報を表示する別の第３副表示部と、をさらに含み、
前記第１出入力部および前記第２出入力部のそれぞれには、前記第３主表示部の表示状態に関する情報が入力され、
前記第１積層信号灯は、前記第１制御部によって制御される別の第１副表示部であって、前記第３主表示部の表示状態に関する情報が前記第１出入力部に入力されると、前記第３主表示部に表示される情報に対応する情報を表示する別の第１副表示部をさらに含み、
前記第２積層信号灯は、前記第２制御部によって制御される別の第２副表示部であって、前記第３主表示部の表示状態に関する情報が前記第２出入力部に入力されると、前記第３主表示部に表示される情報に対応する情報を表示する別の第２副表示部をさらに含む、請求項１に記載の報知システム。
【請求項３】
前記第１表示属性、前記第３表示属性および前記第５表示属性は、同じ表示属性であり、
前記第２表示属性、前記第４表示属性および前記第６表示属性は、同じ表示属性である、請求項２に記載の報知システム。
【請求項４】
前記第１表示属性、前記第３表示属性および前記第５表示属性は、表示色であり、
前記第２表示属性、前記第４表示属性および前記第６表示属性は、点灯パターンである、請求項３に記載の報知システム。
【発明の詳細な説明】
【技術分野】
【０００１】  この発明は、情報を表示する表示部を備えた報知装置を含む報知システムに関する。
【背景技術】
【０００２】  特許文献１は、複数のシグナルコラムが一つの中央シグナルコラムに接続された構成を開示している。中央シグナルコラム以外の複数のシグナルコラムは、監視対象である複数の技術的装置にそれぞれ取り付けられている。これらのシグナルコラムは、対応する技術的装置が重大な状態にあるときに赤色で点灯する警告ランプを備えている。中央シグナルコラムは、他のシグナルコラムから遠く離れた位置にある。中央シグナルコラムは、複数の赤色交換モジュールを備えている。これらの赤色交換モジュールは、複数の技術的装置のシグナルコラムに１対１に対応している。技術的装置のシグナルコラムの警告ランプが赤色で点灯すると、当該シグナルコラムに対応する赤色交換モジュールが赤色で点灯する。これにより、中央シグナルコラムを見た者は、当該シグナルコラムが監視している技術的装置が重大な状態にあることを把握できる。
【先行技術文献】
【特許文献】
【０００３】
【特許文献１】特開２０１０−１５３３６３号公報
【発明の概要】
【発明が解決しようとする課題】
【０００４】  特許文献１の構成により、管理者は、中央シグナルコラムを見ることにより、複数の技術的装置の動作状態をまとめて把握できる。一方、技術的装置のシグナルコラムは、対応する技術的装置の動作状態を警告ランプによって表示するに過ぎない。そのため、そのシグナルコラムの周辺にいる者は、他の技術的装置の動作状態のような追加の情報までは把握できない。このような追加の情報を表示することができれば、さらに利便性を向上できる。【０００５】  そこで、この発明の一実施形態は、複数の報知装置を含む構成において、１つの報知装置から、この報知装置が本来報知すべき情報だけでなく、他の報知装置が報知する情報も報知でき、それによって利便性を向上できる報知システムを提供する。
【課題を解決するための手段】
【０００６】  この発明の一実施形態は、第１報知装置と、第２報知装置とを含む報知システムを提供する。前記第１報知装置は、第１情報が入力される第１入力部と、第２情報が入力される第２入力部と、情報を可変表示する第１主表示部と、第１制御部とを含む。前記第１制御部は、前記第１情報に対応する情報を第１表示属性により表示し、前記第２情報に対応する情報を前記第１表示属性とは異なる第２表示属性により表示するように前記第１主表示部を制御する。前記第２報知装置は、第３情報が入力される第３入力部と、第４情報が入力される第４入力部と、情報を可変表示する第２主表示部と、第２制御部とを含む。前記第２制御部は、前記第３情報に対応する情報を第３表示属性により表示し、前記第４情報に対応する情報を前記第３表示属性とは異なる第４表示属性により表示するように前記第２主表示部を制御する。前記第１入力部への前記第１情報の入力に応じて、前記第１制御部は、前記第１表示属性の属性値を変更する。前記第２入力部への前記第２情報の入力に応じて、前記第１制御部は、前記第２表示属性の属性値を変更する。前記第３入力部への前記第３情報の入力に応じて、前記第２制御部は、前記第３表示属性の属性値を変更する。前記第４入力部への前記第４情報の入力に応じて、前記第２制御部は、前記第４表示属性の属性値を変更する。前記第１報知装置は、前記第１制御部によって制御される第１副表示部であって、前記第２主表示部に表示される情報に対応する情報を表示する第１副表示部をさらに含む。【０００７】  この構成により、第１報知装置の第１制御部は、第１入力部に入力された第１情報に対応する情報を第１表示属性により表示するように第１主表示部を制御する。これにより、第１主表示部に表示された情報を見た者は、この情報を把握できる。第１情報が第１入力部に入力されると、第１制御部は、第１表示属性の属性値を変更し、第１情報に対応する情報を変更後の属性値により表示するように第１主表示部を制御する。これにより、第１主表示部に表示された情報を見た者は、変更後の属性値に対応する情報を把握できる。一方、第１制御部は、第２入力部に入力された第２情報に対応する情報を第１表示属性とは異なる第２表示属性により表示するように第１表示部を制御する。第２情報が第２入力部に入力されると、第１制御部は、第２表示属性の属性値を変更し、第２情報に対応する情報を変更後の属性値により表示するように第１主表示部を制御する。これにより、第１主表示部に表示された情報を見た者は、変更後の属性値に対応する情報を把握できる。【０００８】  第２報知装置の第２制御部は、第３入力部に入力された第３情報に対応する情報を第３表示属性により表示するように第２主表示部を制御する。これにより、第２主表示部に表示された情報を見た者は、この情報を把握できる。第３情報が第３入力部に入力されると、第２制御部は、第３表示属性の属性値を変更し、第３情報に対応する情報を変更後の属性値により表示するように第２主表示部を制御する。これにより、第３主表示部に表示された情報を見た者は、変更後の属性値に対応する情報を把握できる。一方、第２制御部は、第４入力部に入力された第４情報に対応する情報を第３表示属性とは異なる第４表示属性により表示するように第２表示部を制御する。第４情報が第４入力部に入力されると、第２制御部は、第４表示属性の属性値を変更し、第４情報に対応する情報を変更後の属性値により表示するように第３主表示部を制御する。これにより、第３主表示部に表示された情報を見た者は、変更後の属性値に対応する情報を把握できる。【０００９】  一つの具体例では、機械装置の異常の発生やその内容を表わす情報が第１情報や第３情報として第１入力部や第３入力部に入力されてもよい。この構成により、第１報知装置に対応付けられた機械装置での異常の発生を表わす第１情報が第１入力部に入力されると、第１制御部は、第１情報に対応する情報を第１表示属性により表示するように第１主表示部を制御する。また、第２報知装置に対応付けられた機械装置での異常の発生を表わす第３情報が第３入力部に入力されると、第２制御部は、第３情報に対応する情報を第３表示属性により表示するように第２主表示部を制御する。これにより、第１主表示部や第２主表示部に表示された情報を見た者は、異常の発生やその内容を把握できる。【００１０】  さらに一つの具体例では、機械装置の異常に対応する作業者等の操作者が、作業者の到着を表わす情報を第２情報や第４情報として第２入力部や第４入力部に入力してもよい。すると、第１制御部は、第２情報に対応する情報を第１表示属性とは異なる第２表示属性により表示するように第１主表示部を制御する。また、第２制御部は、第４情報に対応する情報を第３表示属性とは異なる第４表示属性により表示するように第２主表示部を制御する。これにより、第１主表示部や第２主表示部に表示された情報を見た者は、異常への対応が開始されたことを把握できる。【００１１】  第１報知装置の第１副表示部には、第２報知装置の第２主表示部に表示される情報に対応する情報が表示される。これにより、第１報知装置は、第１報知装置が本来報知すべき情報だけでなく、第２報知装置が報知する情報も報知でき、それより、利便性を向上できる。【００１２】  この発明の一実施形態では、前記第２報知装置は、前記第２制御部によって制御される第２副表示部であって、前記第１主表示部に表示される情報に対応する情報を表示する第２副表示部をさらに含む。【００１３】  この構成により、第２報知装置の第２副表示部には、第１報知装置の第１主表示部に表示される情報に対応する情報が表示される。これにより、第２報知装置は、第２報知装置が本来報知すべき情報だけでなく、第１報知装置が報知する情報も報知でき、それより、利便性を向上できる。【００１４】  この発明の一実施形態では、前記報知システムは、第３報知装置をさらに含む。前記第３報知装置は、第５情報が入力される第５入力部と、第６情報が入力される第６入力部と、情報を可変表示する第３主表示部と、第３制御部とを含む。前記第３制御部は、前記第５情報に対応する情報を第５表示属性により表示し、前記第６情報に対応する情報を前記第５表示属性とは異なる第６表示属性により表示するように前記第３主表示部を制御する。前記第５入力部への前記第５情報の入力に応じて、前記第３制御部は、前記第５表示属性の属性値を変更する。前記第６入力部への前記第６情報の入力に応じて、前記第３制御部は、前記第６表示属性の属性値を変更する。前記第１報知装置は、前記第１制御部によって制御される別の第１副表示部であって、前記第３主表示部に表示される情報に対応する情報を表示する別の第１副表示部をさらに含む。【００１５】  この構成により、第３報知装置の第３制御部は、第５入力部に入力された第５情報に対応する情報を第５表示属性により表示するように第３主表示部を制御する。これにより、第３主表示部に表示された情報を見た者は、この情報を把握できる。第５情報が第５入力部に入力されると、第３制御部は、第５表示属性の属性値を変更し、第５情報に対応する情報を変更後の属性値により表示するように第３主表示部を制御する。これにより、第３主表示部に表示された情報を見た者は、変更後の属性値に対応する情報を把握できる。一方、第３制御部は、第６入力部に入力された第６情報に対応する情報を第５表示属性とは異なる第６表示属性により表示するように第３表示部を制御する。第６情報が第６入力部に入力されると、第３制御部は、第６表示属性の属性値を変更し、第６情報に対応する情報を変更後の属性値により表示するように第３主表示部を制御する。これにより、第３主表示部に表示された情報を見た者は、変更後の属性値に対応する情報を把握できる。【００１６】  一つの具体例では、機械装置の異常の発生やその内容を表わす情報が第５情報として第５入力部に入力されてもよい。この構成により、第３報知装置に対応付けられた機械装置での異常の発生を表わす第５情報が第５入力部に入力されると、第３制御部は、第５情報に対応する情報を第５表示属性により表示するように第３主表示部を制御する。これにより、第３主表示部に表示された情報を見た者は、異常の発生やその内容を把握できる。【００１７】  さらに一つの具体例では、機械装置の異常に対応する作業者等の操作者が、作業者の到着を表わす情報を第６情報として第６入力部に入力してもよい。すると、第３制御部は、第６情報に対応する情報を第５表示属性とは異なる第６表示属性により表示するように第３主表示部を制御する。これにより、第３主表示部に表示された情報を見た者は、異常への対応が開始されたことを把握できる。【００１８】  そして、第１報知装置における別の第１副表示部には、第３報知装置の第３主表示部に表示される情報に対応する情報が表示される。これにより、第１報知装置は、第１報知装置が本来報知すべき情報だけでなく、第２報知装置および第３報知装置が報知する情報も報知でき、それより、利便性を向上できる。【００１９】  この発明の一実施形態では、前記第２報知装置は、前記第２制御部によって制御される別の第２副表示部であって、前記第３主表示部に表示される情報に対応する情報を表示する別の第２副表示部をさらに含む。【００２０】  この構成により、第２報知装置における別の第２副表示部には、第３報知装置の第３主表示部に表示される情報に対応する情報が表示される。これにより、第２報知装置は、第２報知装置が本来報知すべき情報だけでなく、第１報知装置および第３報知装置が報知する情報も報知でき、それより、利便性を向上できる。【００２１】  この発明の一実施形態では、前記第１表示属性、前記第３表示属性および前記第５表示属性は、同じ表示属性であり、前記第２表示属性、前記第４表示属性および前記第６表示属性は、同じ表示属性である。【００２２】  この構成により、第１報知装置、第２報知装置および第３報知装置では、例えば、対応する機械装置での異常の発生についての情報が同じ表示属性で表示され、異常への対応状況についての情報が同じ表示属性で表示される。第１報知装置の第１主表示部では、第１情報に対応する情報が第１表示属性により表示されて、第２情報に対応する情報が第２表示属性により表示される。第１報知装置において第２報知装置の第２主表示部に表示される情報に対応する情報が表示される第１副表示部では、第３情報に対応する情報が第３表示属性により表示されて、第４情報に対応する情報が第４表示属性により表示されてもよい。第１報知装置において第３報知装置の第３主表示部に表示される情報に対応する情報が表示される別の第１副表示部では、第５情報に対応する情報が第５表示属性により表示されて、第６情報に対応する情報が第６表示属性により表示されてもよい。この場合においても、第１表示属性、第３表示属性および第５表示属性は、同じ表示属性であり、第２表示属性、第４表示属性および第６表示属性は、同じ表示属性である。そのため、第１報知装置を見た者は、第１主表示部に表示された情報を把握したときと同じように、第１副表示部および別の第１副表示部にそれぞれ表示される情報を把握することができる。【００２３】  この発明の一実施形態では、前記第１表示属性、前記第３表示属性および前記第５表示属性は、表示色であり、前記第２表示属性、前記第４表示属性および前記第６表示属性は、点灯パターンである。【００２４】  この構成により、第１報知装置の第１主表示部は、第１情報に対応する情報を表示色によって表示でき、第２情報に対応する情報を点灯パターンによって表示できる。第２報知装置の第２主表示部は、第３情報に対応する情報を表示色によって表示でき、第４情報に対応する情報を点灯パターンによって表示できる。第３報知装置の第３主表示部は、第５情報に対応する情報を表示色によって表示でき、第６情報に対応する情報を点灯パターンによって表示できる。第１報知装置の第１副表示部には、第３情報および第４情報のそれぞれに対応する情報が表示されて、第１報知装置における別の第１副表示部には、第５情報および第６情報のそれぞれに対応する情報が表示されてもよい。この場合、第１報知装置を見た者は、例えば、第１報知装置に対応付けられた機械装置での異常の発生やその内容を第１主表示部の表示色によって把握でき、この異常への対応状況を第１主表示部の点灯パターンによって把握できる。同様に、第１報知装置を見た者は、第２報知装置に対応付けられた機械装置での異常の発生やその内容を第１副表示部の表示色によって把握でき、この異常への対応状況を第１副表示部の点灯パターンによって把握できる。同様に、第１報知装置を見た者は、第３報知装置に対応付けられた機械装置での異常の発生やその内容を別の第１副表示部の表示色によって把握でき、この異常への対応状況を当該別の第���副表示部の点灯パターンによって把握できる。【００２５】  この発明の一実施形態では、前記第１情報は、前記第１報知装置に対応付けられた機械装置を制御する制御装置から出力される情報である。前記報知システムは、前記第２入力部への前記第２情報の入力のために操作者によって操作される第１操作部をさらに含む。【００２６】  例えば、第１報知装置に対応付けられた機械装置で異常が発生すると、異常の発生およびその内容を表わす第１情報が、この機械装置を制御する制御装置から出力されて第１報知装置の第１入力部に入力される。一方、機械装置の異常が解消すると、異常の解消を表わす第１情報が、制御装置から出力されて第１入力部に入力される。第１報知装置の第１制御部がこのような第１情報に対応する情報を第１主表示部に表示するので、第１主表示部に表示された情報を見た者は、第１報知装置に対応付けられた機械装置における異常の発生およびその内容や、異常の解消を把握できる。異常に対応するために機械装置に到着した者が第１操作部を操作すると、第２情報が第１報知装置の第２入力部に入力される。この場合、第２情報は、異常への対応状況を表わす。第１報知装置の制御部は、入力された第２情報に対応する情報を第１主表示部に表示するので、第１主表示部に表示された情報を見た者は、異常への対応状況を把握できる。【００２７】  この発明の一実施形態では、前記第３情報は、前記第２報知装置に対応付けられた機械装置を制御する制御装置から出力される情報である。前記報知システムは、前記第４入力部への前記第４情報の入力のために操作者によって操作される第２操作部をさらに含む。【００２８】  例えば、第２報知装置に対応付けられた機械装置で異常が発生すると、異常の発生およびその内容に関する第３情報が、この機械装置を制御する制御装置から出力されて第２報知装置の第３入力部に入力される。一方、機械装置の異常が解消すると、異常の解消に関する第３情報が、制御装置から出力されて第３入力部に入力される。第２報知装置の第２制御部がこのような第３情報に対応する情報を第２主表示部に表示するので、第２主表示部に表示された情報を見た者は、第２報知装置に対応付けられた機械装置における異常の発生およびその内容や、異常の解消を把握できる。異常に対応するために機械装置に到着した者が第２操作部を操作すると、第４情報が第２報知装置の第４入力部に入力される。この場合、第４情報は、異常への対応状況を表わす。第２報知装置の第２制御部は、入力された第４情報に対応する情報を第２主表示部に表示するので、第２主表示部に表示された情報を見た者は、異常への対応状況を把握できる。また、第２主表示部に表示される情報に対応する情報が第１報知装置の第１副表示部に表示される。そのため、第１報知装置を見た者は、第１報知装置に対応付けられた機械装置についての情報を第１主表示部において把握でき、さらに、第２報知装置に対応付けられた機械装置についての情報を第１副表示部において把握できる。【００２９】  この発明の一実施形態では、前記第５情報は、前記第３報知装置に対応付けられた機械装置を制御する制御装置から出力される情報である。前記報知システムは、前記第６入力部への前記第６情報の入力のために操作者によって操作される第３操作部をさらに含む。【００３０】  例えば、第３報知装置に対応付けられた機械装置で異常が発生すると、異常の発生およびその内容を表わす第５情報が、この機械装置を制御する制御装置から出力されて第３報知装置の第５入力部に入力される。一方、機械装置の異常が解消すると、異常の解消に関する第５情報が、制御装置から出力されて第５入力部に入力される。第３報知装置の第３制御部がこのような第５情報に対応する情報を第３主表示部に表示するので、第３主表示部に表示された情報を見た者は、第３報知装置に対応付けられた機械装置における異常の発生およびその内容や、異常の解消を把握できる。異常に対応するために機械装置に到着した者が第３操作部を操作すると、第６情報が第３報知装置の第６入力部に入力される。この場合、第６情報は、異常への対応状況を表わす。第３報知装置の第３制御部は、入力された第６情報に対応する情報を第３主表示部に表示するので、第３主表示部に表示された情報を見た者は、異常への対応状況を把握できる。また、第３主表示部に表示される情報に対応する情報が第１報知装置における別の第１副表示部に表示される。そのため、第１報知装置を見た者は、第１報知装置に対応付けられた機械装置についての情報を第１主表示部において把握でき、第２報知装置に対応付けられた機械装置についての情報を第１副表示部において把握でき、さらに、第３報知装置に対応付けられた機械装置についての情報を当該別の第１副表示部において把握できる。【００３１】  この発明の一実施形態では、前記第１報知装置は、前記第１主表示部の表示状態に関する情報を外部出力する第１出力部をさらに含む。【００３２】  この構成により、第１報知装置は、第１主表示部の表示状態に関する情報を外部出力することができるので、第２報知装置は、その情報を取得して、第２副表示部の表示に反映することができる。【００３３】  この発明の一実施形態では、前記第２報知装置は、前記第２主表示部の表示状態に関する情報を外部出力する第２出力部をさらに含む。【００３４】  この構成により、第２報知装置は、第２主表示部の表示状態に関する情報を外部出力することができるので、第１報知装置は、その情報を取得して第１副表示部の表示に反映することができる。【００３５】  この発明の一実施形態では、前記第３報知装置は、前記第３主表示部の表示状態に関する情報を外部出力する第３出力部をさらに含む。【００３６】  この構成により、第３報知装置は、第３主表示部の表示状態に関する情報を外部出力することができるので、第１報知装置は、その情報を取得して、別の第１副表示部の表示に反映することができる。
【図面の簡単な説明】
【００３７】
【図１】図１は、この発明の一実施形態に係る報知システムの構成例を説明するための概略構成図である。
【図２】図２は、報知システムの電気的構成例を説明するためのブロック図である。
【図３】図３は、報知システムを構成する報知装置の報知パターンを説明するための図である。
【発明を実施するための形態】
【００３８】  図１は、この発明の一実施形態に係る報知システム１の構成例を説明するための概略構成図である。報知システム１は、例えば工場の生産現場に設けられている。生産現場には、複数の機械装置ＭＡ、ＭＢ、ＭＣ（以下、総称するときには「機械装置Ｍ」という。）が設置されている。報知システム１は、機械装置ＭＡ、ＭＢ、ＭＣにそれぞれ取り付けられた第１報知装置２Ａ、第２報知装置２Ｂ、第３報知装置２Ｃ（以下、総称するときには「報知装置２」という。）を含む。この実施形態では、機械装置Ｍ同士の間隔が広かったり、機械装置Ｍと別の機械装置Ｍとの間に大きな構造物（図示せず。例えば別の機械装置であってもよい。）が存在したりする。そのため、各機械装置Ｍの周辺にいる者は、他の機械装置Ｍに取り付けられた報知装置２を視認することができない。報知システム１は、第１報知装置２Ａ、第２報知装置２Ｂ、第３報知装置２Ｃの周辺にそれぞれ配置された第１操作部３Ａ、第２操作部３Ｂ、第３操作部３Ｃ（以下、総称するときには「操作部３」という。）をさらに含む。
【００３９】  第１報知装置２Ａは、対応する機械装置ＭＡを制御する制御装置４Ａに、有線または無線の入力信号線５Ａを介して接続されている。第２報知装置２Ｂは、対応する機械装置ＭＢを制御する制御装置４Ｂに、有線または無線の入力信号線５Ｂを介して接続されている。第３報知装置２Ｃは、対応する機械装置ＭＣを制御する制御装置４Ｃに、有線または無線の入力信号線５Ｃを介して接続されている。以下、制御装置４Ａ、４Ｂ、４Ｃを総称するときには「制御装置４」という。制御装置４は、対応する機械装置Ｍの動作を制御するプログラマブルロジックコントローラ（ＰＬＣ）であってもよい。以下では、入力信号線５Ａ、５Ｂ、５Ｃを総称するときには「入力信号線５」という。
【００４０】  制御装置４から出力された情報が、入力信号線５を介して報知装置２に入力される。以下では、制御装置４Ａから出力されて第１報知装置２Ａに入力される情報を「第１情報」という。また、制御装置４Ｂから出力されて第２報知装置２Ｂに入力される情報を「第３情報」という。また、制御装置４Ｃから出力されて第３報知装置２Ｃに入力される情報を「第５情報」という。第１情報、第３情報および第５情報は、例えば、対応する機械装置Ｍが正常動作中であることや、機械装置Ｍの異常発生やその内容（例えば、故障、部品欠品、その他の異常の発生）を表わす信号である。
【００４１】  この実施形態における報知装置２は、全体として柱状の基本形態を有している。報知装置２は、機械装置Ｍにおける適所に固定されるベース６と、ベース６によって支持された表示ユニット７とを含む。ベース６は、柱状（典型的には円柱状）に構成されている。表示ユニット７は、ベース６と整合する大きさおよび形状の柱状（例えば円柱状）に構成されている。表示ユニット７は、ベース６上に積層された複数（この実施形態では３つ）の表示部８によって構成されている。このように複数の表示部８を備える報知装置２は、いわゆる積層信号灯である。各表示部８は、光源９と、光源９の周囲を覆う筒状（例えば円筒状）のグローブ１０とを含む。この実施形態の光源９は、発光ダイオードであって、複数色を選択的に発光する。すなわち、光源９は、複数色の発光が可能なフルカラー光源またはマルチカラー光源である。この実施形態のグローブ１０は、無色透明または白色透光性であり、光源９が発した光をそのままの色で外部に放出させる。表示部８における光源９の発光色は、この表示部８の表示色となる。表示部８は、光源９の発光色や点灯パターンによって情報を可変表示する。第１報知装置２Ａと第２報知装置２Ｂと第３報知装置２Ｃとは、有線または無線のネットワーク１１を介して通信可能に接続されている。ネットワーク１１として、ＩＯ−Ｌｉｎｋ等の接続技術による通信線を用いることができる。報知装置２同士が無線通信する場合には、ネットワーク１１につながる無線通信ユニット１３が、例えば表示ユニット７上に設けられる。
【００４２】  操作部３は、生産現場において保守を担当する作業者等の操作者によって操作される。操作部３は、この実施形態では、スイッチであって、信号線１２を介して、対応する報知装置２に接続されている。当該スイッチとして、静電容量式のタッチセンサを用いることができる。操作部３は、この実施形態では、報知装置２から離れた位置に配置されているが、報知装置２に一体化されてもよい。この実施形態における操作部３は、操作者の手によって押し操作（より詳細にはタッチ操作）される。一方、報知装置２から離れた位置に配置された場合における操作部３は、操作者の足踏みによって操作されるフットスイッチであってもよい。操作者が第１操作部３Ａを押し操作する度に、第１操作部３Ａは第２情報を生成して第１報知装置２Ａに入力する。操作者が第２操作部３Ｂを押し操作する度に、第２操作部３Ｂは第４情報を生成して第２報知装置２Ｂに入力する。操作者が第３操作部３Ｃを押し操作する度に、第３操作部３Ｃは第６情報を生成して第３報知装置２Ｃに入力する。第２情報、第４情報および第６情報の一例は、パルス信号である。
【００４３】  図２は、報知システム１の電気的構成例を説明するためのブロック図である。第１報知装置２Ａは、制御装置４Ａからの第１情報が入力される第１入力部２１と、第１操作部３Ａが生成した第２情報が入力される第２入力部２２とを含む。第１入力部２１は、入力信号線５Ａに接続されるインタフェース部である。第２入力部２２は、第１操作部３Ａにつながった信号線１２に接続されるインタフェース部である。第２報知装置２Ｂは、制御装置４Ｂからの第３情報が入力される第３入力部２３と、第２操作部３Ｂが生成した第４情報が入力される第４入力部２４とを含む。第３入力部２３は、入力信号線５Ｂに接続されるインタフェース部である。第４入力部２４は、第２操作部３Ｂにつながった信号線１２に接続されるインタフェース部である。第３報知装置２Ｃは、制御装置４Ｃからの第５情報が入力される第５入力部２５と、第３操作部３Ｃが生成した第６情報が入力される第６入力部２６とを含む。第５入力部２５は、入力信号線５Ｃに接続されるインタフェース部である。第６入力部２６は、第３操作部３Ｃにつながった信号線１２に接続されるインタフェース部である。
【００４４】  各報知装置２は、ＣＰＵ（中央処理ユニット）によって構成された制御部２７と、前述した３つの表示部８と、例えばベース６に内蔵されたブザー２８と、時間を計測するタイマ２９と、報知装置２の動作条件等の情報を記憶する記憶部３０と、外部通信するための出入力部３１とを含む。
【００４５】  第１報知装置２Ａにおける３つの表示部８は、第１主表示部８１Ａと、第１副表示部８２Ａと、別の第１副表示部８３Ａとを含む。第１主表示部８１Ａ、第１副表示部８２Ａおよび第１副表示部８３Ａは、この順で上から並ぶようにベース６上に積層されている。第１主表示部８１Ａには、第１報知装置２Ａ自身に対応付けられた機械装置ＭＡの情報が表示され、第１副表示部８２Ａおよび第１副表示部８３Ａには、第１報知装置２Ａ以外の報知装置２に対応付けられた機械装置Ｍの情報が表示される。
【００４６】  第２報知装置２Ｂにおける３つの表示部８は、第２主表示部８１Ｂと、第２副表示部８２Ｂと、別の第２副表示部８３Ｂとを含む。第２主表示部８１Ｂ、第２副表示部８２Ｂおよび第２副表示部８３Ｂは、この順で上から並ぶようにベース６上に積層されている。第２主表示部８１Ｂには、第２報知装置２Ｂ自身に対応付けられた機械装置ＭＢの情報が表示され、第２副表示部８２Ｂおよび第２副表示部８３Ｂには、第２報知装置２Ｂ以外の報知装置２に対応付けられた機械装置Ｍの情報が表示される。
【００４７】  第３報知装置２Ｃにおける３つの表示部８は、第３主表示部８１Ｃと、第３副表示部８２Ｃと、別の第３副表示部８３Ｃとを含む。第３主表示部８１Ｃ、第３副表示部８２Ｃおよび第３副表示部８３Ｃは、この順で上から並ぶようにベース６上に積層されている。第３主表示部８１Ｃには、第３報知装置２Ｃ自身に対応付けられた機械装置ＭＣの情報が表示され、第３副表示部８２Ｃおよび第３副表示部８３Ｃには、第３報知装置２Ｃ以外の報知装置２に対応付けられた機械装置Ｍの情報が表示される。以下では、第１主表示部８１Ａ、第２主表示部８１Ｂおよび第３主表示部８１Ｃを総称するときには「主表示部８１」という。
【００４８】  以下では、第１報知装置２Ａの制御部２７を「第１制御部２７Ａ」といい、第２報知装置２Ｂの制御部２７を「第２制御部２７Ｂ」といい、第３報知装置２Ｃの制御部２７を「第３制御部２７Ｃ」ということがある。第１制御部２７Ａは、第１入力部２１に入力される第１情報と、第２入力部２２に入力される第２情報とに応じて第１主表示部８１Ａを制御する。これにより、第１主表示部８１Ａにおいて、第１情報に対応する情報が第１表示属性により表示され、第２情報に対応する情報が、第１表示属性とは異なる第２表示属性により表示される。第１制御部２７Ａは、第１副表示部８２Ａおよび第１副表示部８３Ａも制御する。第２制御部２７Ｂは、第３入力部２３に入力される第３情報と、第４入力部２４に入力される第４情報とに応じて第２主表示部８１Ｂを制御する。これにより、第２主表示部８１Ｂにおいて、第３情報に対応する情報が第３表示属性により表示され、第４情報に対応する情報が、第３表示属性とは異なる第４表示属性により表示される。第２制御部２７Ｂは、第２副表示部８２Ｂおよび第２副表示部８３Ｂも制御する。第３制御部２７Ｃは、第５入力部２５に入力される第５情報と、第６入力部２６に入力される第６情報とに応じて第３主表示部８１Ｃを制御する。これにより、第３主表示部８１Ｃにおいて、第５情報に対応する情報が第５表示属性により表示され、第６情報に対応する情報が、第５表示属性とは異なる第６表示属性により表示される。第３制御部２７Ｃは、第３副表示部８２Ｃおよび第３副表示部８３Ｃも制御する。この実施形態における第１表示属性、第３表示属性および第５表示属性は、同じ表示属性であり、具体的には表示部８の表示色である。この実施形態における第２表示属性、第４表示属性および第６表示属性は、同じ表示属性であり、具体的には表示部８の点灯パターンである。
【００４９】  制御部２７は、ブザー２８を制御する。制御部２７は、必要に応じてタイマ２９の計時時間を参照しながら処理を実行する。
【００５０】  図３は、報知装置２の報知パターンを説明するための図である。第１報知装置２Ａの記憶部３０には、制御装置４Ａから入力される第１情報と、第１表示属性の属性値（以下「第１表示属性値」という。）と、当該第１表示属性値に対応する第１主表示部８１Ａの表示色との関係が記憶されている。第２報知装置２Ｂの記憶部３０には、制御装置４Ｂから入力される第３情報と、第３表示属性の属性値（以下「第３表示属性値」という。）と、当該第３表示属性値に対応する第２主表示部８１Ｂの表示色との関係が記憶されている。第３報知装置２Ｃの記憶部３０には、制御装置４Ｃから入力される第５情報と、第５表示属性の属性値（以下「第５表示属性値」という。）と、当該第５表示属性値に対応する第３主表示部８１Ｃの表示色との関係が記憶されている。この実施形態では、第１情報が機械装置ＭＡの正常動作を表わす場合に、第１表示属性値は「正常値」に設定される。そして、「正常値」に対応する第１主表示部８１Ａの表示色は「緑」に設定されている。一方、第１情報が機械装置ＭＡの異常発生を表わす場合に、第１表示属性値は「異常値」に設定される。そして、「異常値」に対応する第１主表示部８１Ａの表示色は「赤」に設定されている。第３表示属性値および第５表示属性値についても同様である。つまり、第３情報が機械装置ＭＢの正常動作を表わす場合に、第３表示属性値は「正常値」に設定され、第２主表示部８１Ｂの表示色は「緑」に設定されている。一方、第３情報が機械装置ＭＢの異常発生を表わす場合に、第３表示属性値は「異常値」に設定され、第２主表示部８１Ｂの表示色は「赤」に設定されている。第５情報が機械装置ＭＣの正常動作を表わす場合に、第５表示属性値は「正常値」に設定され、第３主表示部８１Ｃの表示色は「緑」に設定されている。一方、第５情報が機械装置ＭＣの異常発生を表わす場合に、第５表示属性値は「異常値」に設定され、第３主表示部８１Ｃの表示色は「赤」に設定されている。
【００５１】  第１報知装置２Ａの記憶部３０には、第２表示属性の属性値（以下「第２表示属性値」という。）と、当該第２表示属性値に対応する第１主表示部８１Ａの点灯パターンとの関係が記憶されている。第２報知装置２Ｂの記憶部３０には、第４表示属性の属性値（以下「第４表示属性値」という。）と、当該第４表示属性値に対応する第２主表示部８１Ｂの点灯パターンとの関係が記憶されている。第３報知装置２Ｃの記憶部３０には、第６表示属性の属性値（以下「第６表示属性値」という。）と、当該第６表示属性値に対応する第３主表示部８１Ｃの点灯パターンとの関係が記憶されている。第２表示属性値、第４表示属性値および第６表示属性値は、「初期値」、「中間値」および「完了値」のいずれかの値に設定される。この実施形態では、「初期値」に対応する主表示部８１の点灯パターンは、点灯（連続点灯）である。「中間値」に対応する主表示部８１の点灯パターンは、点滅である。「完了値」に対応する主表示部８１の点灯パターンは、閃光である。「点滅」とは、一定の短時間点灯と一定の短時間滅灯とを周期的に繰り返す点灯パターンをいう。「閃光」とは、一定の極短時間点灯（点滅の場合よりも短時間の点灯）とその後の一定の短時間滅灯（点灯時間よりも長い時間の消灯）とを周期的に繰り返す点灯パターンをいう。
【００５２】  図３は、第１表示属性および第２表示属性のそれぞれの属性値が変化した場合における第１主表示部８１Ａの表示状態の変化を示している。図３の太い実線矢印は、操作者による第１操作部３Ａの操作、すなわち第２情報の入力に応じて第１主表示部８１Ａの表示状態が変化する様子を示している。図３の太い破線矢印は、制御装置４Ａから入力される第１情報の内容に応じて第１主表示部８１Ａの表示状態が変化する様子を示している。第１主表示部８１Ａは、この例では、６つの表示状態８Ａ〜８Ｆをとり得る。
【００５３】  機械装置ＭＡの正常動作を表わす第１情報が制御装置４Ａから第１入力部２１に入力されると、第１制御部２７Ａは、第１表示属性値を正常値に設定し、第１主表示部８１Ａの光源９の発光色を緑色に設定する。このとき、第２表示属性値が初期値であれば、第１制御部２７Ａの制御によって、第１主表示部８１Ａは緑色で連続点灯する（表示状態８Ａ）。この状態で、作業者が例えばメンテナンスのために機械装置ＭＡにやってきて、メンテナンスの開始に先立って第１操作部３Ａを１回押し操作すると、第２情報が第２入力部２２に入力される。すると、第１制御部２７Ａは、第２表示属性値を、初期値から中間値に変更する。これにより、第１主表示部８１Ａの表示状態は、緑点灯（表示状態８Ａ）から緑色の点滅状態に変わり、表示状態８Ｂとなる。表示状態８Ｂを見た者は、正常状態にある機械装置ＭＡにおいて現在メンテナンスが行われていることを把握できる。
【００５４】  第１主表示部８１Ａが緑点滅している表示状態８Ｂで、作業者がメンテナンスを完了して第１操作部３Ａを１回押し操作すると、第２情報が第２入力部２２に入力される。すると、第１制御部２７Ａは、第２表示属性値を、中間値から完了値に変更する。これにより、第１主表示部８１Ａの表示状態は、緑点滅（表示状態８Ｂ）から緑色の閃光状態に変わり、表示状態８Ｃとなる。表示状態８Ｃを見た者は、正常状態にある機械装置ＭＡにおいてメンテナンスが完了したことを把握できる。
【００５５】  第１主表示部８１Ａが緑閃光している表示状態８Ｃで、作業者が第１操作部３Ａをもう１回押し操作すると、第２情報が第２入力部２２に入力される。すると、第１制御部２７Ａは、第２表示属性値を、完了値から初期値に変更する。これにより、第１主表示部８１Ａの表示状態は、緑閃光（表示状態８Ｃ）から緑色の連続点灯に変わり、表示状態８Ａとなる。表示状態８Ａを見た者は、機械装置ＭＡが正常動作中であってメンテナンス等が行われていないことを把握できる。
【００５６】  機械装置ＭＡにおける異常発生を表わす第１情報が制御装置４Ａから第１入力部２１に入力されると、第１制御部２７Ａは、第１表示属性値を正常値から異常値に変更する。これにより、第１主表示部８１Ａの表示色が緑から赤に変更される。このとき、第２表示属性値が初期値であれば、第１制御部２７Ａの制御によって、第１主表示部８１Ａは赤色で連続点灯し、表示状態８Ｄとなる。この状態で、作業者が機械装置ＭＡの異常を解消するために機械装置ＭＡにやってきて、作業開始に先立って第１操作部３Ａを１回押し操作する。この押し操作により、第２情報が第２入力部２２に入力される。すると、第１制御部２７Ａは、第２表示属性値を、初期値から中間値に変更する。これにより、第１主表示部８１Ａの表示状態は、赤点灯（表示状態８Ｄ）から赤色の点滅状態に変わり、表示状態８Ｅに遷移する。表示状態８Ｅを見た者は、異常発生した機械装置ＭＡにおいて現在対応が行われていることを把握できる。
【００５７】  第１主表示部８１Ａが赤点滅している表示状態８Ｅで、作業者が作業を完了して第１操作部３Ａを１回押し操作すると、第２情報が第２入力部２２に入力される。すると、第１制御部２７Ａは、第２表示属性値を、中間値から完了値に変更する。これにより、第１主表示部８１Ａの表示状態は、赤点滅（表示状態８Ｅ）から赤色の閃光状態に変わり、表示状態８Ｆに遷移する。表示状態８Ｆを見た者は、異常発生した機械装置ＭＡにおいて対応が完了したことを把握できる。
【００５８】  作業者の対応に応じて異常が解消されることにより、機械装置ＭＡの正常動作を表わす第１情報が制御装置４Ａから第１入力部２１に入力されると、第１制御部２７Ａは、第１表示属性値を異常値から正常値に変更する。これにより、第１主表示部８１Ａの表示色が赤から緑に変わる。第１主表示部８１Ａが赤点灯中（表示状態８Ｄ）または赤点滅中（表示状態８Ｅ）であるにもかかわらず異常が自然解消される場合もあり得る。この場合に、機械装置ＭＡの正常動作を表わす第１情報が制御装置４Ａから第１入力部２１に入力されると、第１制御部２７Ａは、第１主表示部８１Ａの表示状態を赤点灯（表示状態８Ｄ）や赤点滅（表示状態８Ｆ）から緑点灯（表示状態８Ａ）や緑点滅（表示状態８Ｂ）に変更する。逆に、異常が発生することによって、第１主表示部８１Ａの表示状態が緑点灯や、緑点滅または緑閃光（表示状態８Ａ，８Ｂ，８Ｃ）から赤点灯、赤点滅または赤閃光（表示状態８Ｄ，８Ｅ，８Ｆ）に変わることもある。
【００５９】  作業者が対応しても異常を解消できない場合がある。その場合には、作業者は、例えば表示状態８Ｅから第１操作部３Ａを１回押し操作して第１主表示部８１Ａを赤閃光させて表示状態８Ｆとし、さらに、第１操作部３Ａをもう１回押し操作する。このとき、第１制御部２７Ａは、第２情報の第２入力部２２への入力に応じて、第２表示属性値を、中間値から完了値を経て初期値へと変更する。そのため、第１主表示部８１Ａの表示状態は、赤点滅から赤閃光を経て赤点灯に変わり、表示状態８Ｄとなる。表示状態８Ｄを見た者は、機械装置ＭＡの異常が未解消であることを把握できる。
【００６０】  図３には、第３表示属性および第４表示属性のそれぞれの属性値が変化した場合における第２主表示部８１Ｂの表示状態の変化も示されている。さらに、図３には、第５表示属性および第６表示属性のそれぞれの属性値が変化した場合における第３主表示部８１Ｃの表示状態の変化も示されている。前述したように、この実施形態では、第１表示属性、第３表示属性および第５表示属性は同じ表示属性であり、第２表示属性、第４表示属性および第６表示属性は同じ表示属性である。よって、第１主表示部８１Ａの表示状態の変化についての以上の説明は、第２主表示部８１Ｂおよび第３主表示部８１Ｃの表示状態の変化にも当てはまる。
【００６１】  具体的には、第２報知装置２Ｂの場合、機械装置ＭＢの正常動作を表わす第３情報が制御装置４Ｂから第３入力部２３に入力されると、第２制御部２７Ｂは、第３表示属性値を正常値に設定し、第２主表示部８１Ｂの光源９の発光色を緑色に設定する。このとき、第４表示属性値が初期値であれば、第２主表示部８１Ｂは、緑色で連続点灯する表示状態８Ａになる。そして、作業者が第２操作部３Ｂを押し操作する度に、第４情報が第４入力部２４に入力されるので、第２制御部２７Ｂは、第４表示属性値を、初期値と中間値と完了値との間で順に循環的に変更する。これにより、第２主表示部８１Ｂの表示状態が、緑点灯の表示状態８Ａと緑点滅の表示状態８Ｂと緑閃光の表示状態８Ｃとの間で順に循環的に変わる。機械装置ＭＡにおける異常発生を表わす第３情報が制御装置４Ｂから第３入力部２３に入力されると、第２制御部２７Ｂは、第３表示属性値を正常値から異常値に変更して、第２主表示部８１Ｂの光源９の発光色を赤色に変更する。そして、作業者が第２操作部３Ｂを押し操作する度に、第４情報が第４入力部２４に入力されるので、第２制御部２７Ｂは、第４表示属性値を、初期値と中間値と完了値との間で順に循環的に変更する。これにより、第２主表示部８１Ｂの表示状態が、赤点灯の表示状態８Ｄと赤点滅の表示状態８Ｅと赤閃光の表示状態８Ｆとの間で順に循環的に変わる。機械装置ＭＡの正常動作を表わす第３情報が制御装置４Ｂから第３入力部２３に入力されると、第２制御部２７Ｂは、第３表示属性値を異常値から正常値に変更して、第２主表示部８１Ｂの光源９の発光色を緑色に変更する。
【００６２】  第３報知装置２Ｃの場合、機械装置ＭＣの正常動作を表わす第５情報が制御装置４Ｃから第５入力部２５に入力されると、第３制御部２７Ｃは、第５表示属性値を正常値に設定し、第３主表示部８１Ｃの光源９の発光色を緑色に設定する。このとき、第６表示属性値が初期値であれば、第３主表示部８１Ｃは緑色で連続点灯する表示状態８Ａになる。そして、作業者が第３操作部３Ｃを押し操作する度に、第６情報が第６入力部２６に入力されるので、第３制御部２７Ｃは、第６表示属性値を、初期値と中間値と完了値との間で順に変更する。これにより、第３主表示部８１Ｃの表示状態が、緑点灯の表示状態８Ａと緑点滅の表示状態８Ｂと緑閃光の表示状態８Ｃとの間で順に循環的に変わる。機械装置ＭＣにおける異常発生を表わす第５情報が制御装置４Ｃから第５入力部２５に入力されると、第３制御部２７Ｃは、第５表示属性値を正常値から異常値に変更して、第３主表示部８１Ｃの光源９の発光色を赤色に変更する。そして、作業者が第３操作部３Ｃを押し操作する度に、第６情報が第６入力部２６に入力されるので、第３制御部２７Ｃは、第６表示属性値を、初期値と中間値と完了値との間で順に循環的に変更する。これにより、第３主表示部８１Ｃの表示状態が、赤点灯の表示状態８Ｄと赤点滅の表示状態８Ｅと赤閃光の表示状態８Ｆとの間で順に循環的に変わる。機械装置ＭＣの正常動作を表わす第５情報が制御装置４Ｃから第５入力部２５に入力されると、第３制御部２７Ｃは、第５表示属性値を異常値から正常値に変更して、第３主表示部８１Ｃの光源９の発光色を緑色に変更する。
【００６３】  図２を参照して、出入力部３１は、ネットワーク１１に接続されるインタフェース部である。出入力部３１は、ＩＯ−Ｌｉｎｋ等の接続技術を利用した通信インタフェースであってもよい。以下では、第１報知装置２Ａの出入力部３１を「第１出入力部３１Ａ」といい、第２報知装置２Ｂの出入力部３１を「第２出入力部３１Ｂ」といい、第３報知装置２Ｃの出入力部３１を「第３出入力部３１Ｃ」ということがある。第１出入力部３１Ａは、第１主表示部８１Ａの表示状態に関する情報を外部出力する第１出力部として機能する。第２出入力部３１Ｂは、第２主表示部８１Ｂの表示状態に関する情報を外部出力する第２出力部として機能する。第３出入力部３１Ｃは、第３主表示部８１Ｃの表示状態に関する情報を外部出力する第３出力部として機能する。主表示部８１の表示状態に関する情報とは、主表示部８１の表示状態８Ａ〜８Ｆ（図３参照）を特定できる情報であり、この実施形態では、主表示部８１の表示色および点灯パターンを表す情報である。
【００６４】  第１出入力部３１Ａから外部出力された情報は、ネットワーク１１を介して、第２出入力部３１Ｂおよび第３出入力部３１Ｃに入力される。第２出入力部３１Ｂから外部出力された情報は、ネットワーク１１を介して、第１出入力部３１Ａおよび第３出入力部３１Ｃに入力される。第３出入力部３１Ｃから外部出力された情報は、ネットワーク１１を介して、第１出入力部３１Ａおよび第２出入力部３１Ｂに入力される。
【００６５】  第１報知装置２Ａの第１制御部２７Ａは、第２報知装置２Ｂおよび第３報知装置２Ｃから出力されて第１出入力部３１Ａに入力された情報に対応する情報を、第１副表示部８２Ａおよび第１副表示部８３Ａに表示する。具体的には、第１制御部２７Ａは、第２報知装置２Ｂの第２主表示部８１Ｂに表示される情報に対応する情報を第１副表示部８２Ａに表示し、第３報知装置２Ｃの第３主表示部８１Ｃに表示される情報に対応する情報を第１副表示部８３Ａに表示する。この実施形態では、第２主表示部８１Ｂに表示されている情報（表示色および点灯パターン）と同じ情報が、第１副表示部８２Ａにリアルタイムで表示される。また、第３主表示部８１Ｃに表示されている情報と同じ情報が、第１副表示部８３Ａにリアルタイムで表示される。
【００６６】  第２報知装置２Ｂの第２制御部２７Ｂは、第１報知装置２Ａおよび第３報知装置２Ｃから出力されて第２出入力部３１Ｂに入力された情報に対応する情報を、第２副表示部８２Ｂおよび第２副表示部８３Ｂに表示する。具体的には、第２制御部２７Ｂは、第１報知装置２Ａの第１主表示部８１Ａに表示される情報に対応する情報を第２副表示部８２Ｂに表示し、第３報知装置２Ｃの第３主表示部８１Ｃに表示される情報に対応する情報を第２副表示部８３Ｂに表示する。この実施形態では、第１主表示部８１Ａに表示されている情報と同じ情報が、第２副表示部８２Ｂにリアルタイムで表示される。また、第３主表示部８１Ｃに表示されている情報と同じ情報が、第２副表示部８３Ｂにリアルタイムで表示される。
【００６７】  第３報知装置２Ｃの第３制御部２７Ｃは、第１報知装置２Ａおよび第２報知装置２Ｂから出力されて第３出入力部３１Ｃに入力された情報に対応する情報を、第３副表示部８２Ｃおよび第３副表示部８３Ｃに表示する。具体的には、第３制御部２７Ｃは、第１報知装置２Ａの第１主表示部８１Ａに表示される情報に対応する情報を第３副表示部８２Ｃに表示し、第２報知装置２Ｂの第２主表示部８１Ｂに表示される情報に対応する情報を第３副表示部８３Ｃに表示する。この実施形態では、第１主表示部８１Ａに表示されている情報と同じ情報が、第３副表示部８２Ｃにリアルタイムで表示される。また、第２主表示部８１Ｂに表示されている情報と同じ情報が、第３副表示部８３Ｃにリアルタイムで表示される。
【００６８】  このようにこの実施形態によれば、機械装置ＭＡでの異常の発生およびその内容を表わす第１情報が制御装置４Ａから出力されて第１入力部２１に入力されると、第１制御部２７Ａは、第１表示属性値を正常値から異常値に変更する。そして、第１制御部２７Ａは、第１情報に対応する情報を変更後の属性値により表示するように第１主表示部８１Ａを制御する。これにより、第１主表示部８１Ａが表示状態８Ｄになるので、表示状態８Ｄを見た者は、第１報知装置２Ａに対応付けられた機械装置ＭＡでの異常の発生およびその内容を把握できる。一方、この異常の解消を表わす第１情報が制御装置４Ａから出力されて第１入力部２１に入力されると、第１制御部２７Ａは、第１表示属性値を異常値から正常値に変更する。そして、第１制御部２７Ａは、第１情報に対応する情報を変更後の属性値により表示するように第１主表示部８１Ａを制御する。これにより、第１主表示部８１Ａが表示状態８Ａ〜８Ｃになるので、この表示状態を見た者は、第１報知装置２Ａに対応付けられた機械装置ＭＡに異常が存在しないことを把握できる。第１制御部２７Ａは、第２表示属性値を初期値に設定することにより、機械装置ＭＡへの対応（異常等への対応）が行われていないことを表わす情報を第１主表示部８１Ａに表示できる（表示状態８Ａおよび８Ｄを参照）。これにより、第１主表示部８１Ａに表示された情報を見た者は、機械装置ＭＡへの対応が現在行われていないことを把握できる。
【００６９】  機械装置ＭＡに対応するために駆け付けた者が、対応に着手するのに先立って第１操作部３Ａによって第２情報を第２入力部２２に入力すると、第１制御部２７Ａは、第２表示属性値を初期値から中間値に変更し、第２情報に対応する情報を変更後の属性値により表示するように第１主表示部８１Ａを制御する。これにより、第１主表示部８１Ａに表示された情報（表示状態８Ｂおよび８Ｅ）を見た者は、機械装置ＭＡへの対応が開始されたことを把握できる。機械装置ＭＡへの対応を完了した者が第１操作部３Ａによって第２情報を第２入力部２２に入力すると、第１制御部２７Ａは、第２表示属性値を中間値から完了値に変更し、第２情報に対応する情報を変更後の属性値により表示するように第１主表示部８１Ａを制御する。これにより、第１主表示部８１Ａに表示された情報（表示状態８Ｃおよび８Ｆ）を見た者は、機械装置ＭＡへの対応が完了したことを把握できる。第１報知装置２Ａと同様に、第２報知装置２Ｂおよび第３報知装置２Ｃでも、対応する機械装置Ｍにおける異常有無や異常への対応状況を主表示部８１において表示できる。
【００７０】  さらに、第１報知装置２Ａの第１副表示部８２Ａには、第２報知装置２Ｂの第２主表示部８１Ｂに表示される情報に対応する情報が表示される。そして、第１報知装置２Ａにおける別の第１副表示部８３Ａには、第３報知装置２Ｃの第３主表示部８１Ｃに表示される情報に対応する情報が表示される。そのため、第１報知装置２Ａは、対応する機械装置ＭＡについての情報を第１主表示部８１Ａにおいて報知でき、第２報知装置２Ｂが対応する機械装置ＭＢについての情報を第１副表示部８２Ａにおいて報知でき、さらに、第３報知装置２Ｃに対応付けられた機械装置ＭＣについての情報を別の第１副表示部８３Ａにおいて報知できる。つまり、第１報知装置２Ａから、第１報知装置２Ａが本来報知すべき機械装置ＭＡについての情報だけでなく、他の複数の報知装置２が報知する情報も報知でき、それにより、利便性を向上できる。そのため、機械装置ＭＡの周辺にいる作業者は、近くの第１報知装置２Ａの表示によって、視認できない他の機械装置ＭＢおよびＭＣの異常有無およびその内容や、異常への対応状況も把握できる。
【００７１】  また、第２報知装置２Ｂの第２副表示部８２Ｂには、第１報知装置２Ａの第１主表示部８１Ａに表示される情報に対応する情報が表示される。そして、第２報知装置２Ｂにおける別の第２副表示部８３Ｂには、第３報知装置２Ｃの第３主表示部８１Ｃに表示される情報に対応する情報が表示される。そのため、第２報知装置２Ｂは、第２報知装置２Ｂに対応付けられた機械装置ＭＢについての情報を第２主表示部８１Ｂにおいて報知でき、第１報知装置２Ａに対応付けられた機械装置ＭＡについての情報を第２副表示部８２Ｂにおいて報知でき、さらに、第３報知装置２Ｃに対応付けられた機械装置ＭＣについての情報を別の第２副表示部８３Ｂにおいて報知できる。つまり、第２報知装置２Ｂでも、第２報知装置２Ｂが本来報知すべき情報だけでなく、他の複数の報知装置２が報知する情報も報知できる。そのため、機械装置ＭＢの周辺にいる作業者は、近くの第２報知装置２Ｂの表示によって、直接見えない他の機械装置ＭＡおよびＭＣの異常有無およびその内容や、異常への対応状況も把握できる。同様に、機械装置ＭＣの周辺にいる作業者は、近くの第３報知装置２Ｃの表示によって、直接見えない他の機械装置ＭＡおよびＭＢの異常有無およびその内容や、異常への対応状況も把握できる。つまり、これらの報知装置２により、生産現場において機械装置Ｍの周辺にいる作業者が当該機械装置Ｍの状態と他の機械装置Ｍの状態とをまとめて監視できる報知システム１を構築できる。
【００７２】  また、第１報知装置２Ａ、第２報知装置２Ｂおよび第３報知装置２Ｃでは、対応する機械装置Ｍでの異常の発生およびその内容についての情報が同じ表示属性で表示され、異常への対応状況についての情報が同じ表示属性で表示される。そのため、第１報知装置２Ａを見た者は、第１主表示部８１Ａに表示された情報を把握したときと同じように、第１副表示部８２Ａおよび別の第１副表示部８３Ａにそれぞれ表示された情報を把握することができる。第２報知装置２Ｂや第３報知装置２Ｃを見た者についても同様である。
【００７３】  第１報知装置２Ａの第１主表示部８１Ａは、第１情報に対応する情報を表示色によって表示でき、第２情報に対応する情報を点灯パターンによって表示できる。第２報知装置２Ｂの第２主表示部８１Ｂは、第３情報に対応する情報を表示色によって表示でき、第４情報に対応する情報を点灯パターンによって表示できる。第３報知装置２Ｃの第３主表示部８１Ｃは、第５情報に対応する情報を表示色によって表示でき、第６情報に対応する情報を点灯パターンによって表示できる。この実施形態では、第１報知装置２Ａを見た者は、第１報知装置２Ａに対応付けられた機械装置ＭＡでの異常の発生およびその内容を第１主表示部８１Ａの表示色によって把握でき、この異常への対応状況を第１主表示部８１Ａの点灯パターンによって把握できる。同様に、第１報知装置２Ａを見た者は、第２報知装置２Ｂに対応付けられた機械装置ＭＢでの異常の発生およびその内容を第１副表示部８２Ａの表示色によって把握でき、この異常への対応状況を第１副表示部８２Ａの点灯パターンによって把握できる。同様に、第１報知装置２Ａを見た者は、第３報知装置２Ｃに対応付けられた機械装置ＭＣでの異常の発生およびその内容を別の第１副表示部８３Ａの表示色によって把握でき、この異常への対応状況を当該別の第１副表示部８３Ａの点灯パターンによって把握できる。第２報知装置２Ｂや第３報知装置２Ｃを見た者も、第１報知装置２Ａを見た者と同様に、複数の機械装置Ｍのそれぞれにおける異常の発生有無や、異常の内容や、異常への対応状況を表示色や点灯パターンによって把握できる。
【００７４】  第１報知装置２Ａは、第１主表示部８１Ａの表示状態に関する情報を外部出力することができる。これにより、第２報知装置２Ｂは、この情報を取得して第２副表示部８２Ｂの表示に反映することができ、第３報知装置２Ｃは、この情報を取得して第３副表示部８２Ｃの表示に反映することができる。第２報知装置２Ｂは、第２主表示部８１Ｂの表示状態に関する情報を外部出力することができる。これにより、第１報知装置２Ａは、この情報を取得して第１副表示部８２Ａの表示に反映することができ、第３報知装置２Ｃは、この情報を取得して第３副表示部８３Ｃの表示に反映することができる。第３報知装置２Ｃは、第３主表示部８１Ｃの表示状態に関する情報を外部出力することができる。これにより、第１報知装置２Ａは、この情報を取得して第１副表示部８３Ａの表示に反映することができ、第２報知装置２Ｂは、この情報を取得して第２副表示部８３Ｂの表示に反映することができる。
【００７５】  以上、この発明の実施形態について説明してきたが、この発明は、さらに他の形態で実施することもできる。
【００７６】（１）例えば、報知システム１は、報知装置２を管理する管理装置３５を含んでもよい（図２参照）。管理装置３５は、ネットワーク１１または別の通信回線を介して各報知装置２に対して通信可能に接続されている。各報知装置２は、当該別の通信回線に接続されるインタフェースとして、前述した出入力部３１とは別の出入力部を含んでもよい。管理装置３５の一例は、コンピュータ（典型的にはパーソナルコンピュータ）であり、モニタ等の表示部（図示せず）と、キーボード等の入力部（図示せず）とを含む。管理装置３５は、機械装置Ｍから離れた場所（生産現場の外でも構わない）で生産現場を管理する管理者が駐在する管理室等に配置されている。管理装置３５は、各報知装置２の動作条件を記憶している。管理装置３５は、管理者による管理装置３５の入力部の操作によって報知装置２の動作条件を変更し、変更後の動作条件と動作条件更新指令とを各報知装置２に送信する。変更後の動作条件と動作条件更新指令とを受信した報知装置２の制御部２７は、記憶部３０に記憶されている動作条件を更新する。また、報知装置２の制御部２７は、主表示部８１の表示状態８Ａ〜８Ｆに関する情報を管理装置３５に送信してもよい。これに応じて、管理装置３５の表示部には、全ての報知装置２の主表示部８１の表示状態に相当する情報がリアルタイムで表示されてもよい。そのため、管理者は、各報知装置２に対応付けられた機械装置Ｍの状態等を管理室においてまとめて監視できる。
【００７７】（２）報知システム１において、各報知装置２における表示部８の数と、報知システム１に含まれる報知装置２の数とは対応している。そのため、この実施形態では、３つの報知装置２に応じて、各報知装置２は、報知装置２の数と同じ３つの表示部８を備えているが、各報知装置２における表示部８の数は、報知装置２の数に応じて変更できる。
【００７８】（３）機械装置Ｍの異常が発生したときの報知装置２の表示部８の表示色は、赤色である。複数種類の異常が機械装置Ｍで発生する場合には、前述した第１表示属性、第３表示属性および第５表示属性値は、第１異常値や第２異常値等の複数の異常値を含んでもよい。これに応じて、異常の種類毎に異なる複数の表示色（例えば赤色や黄色等）が設定されてもよい。そのため、機械装置Ｍで発生する異常の種類に応じて、表示部８の表示色が赤色以外にも変化する。
【００７９】  本発明の実施形態について詳細に説明してきたが、これらは本発明の技術的内容を明らかにするために用いられた具体例に過ぎず、本発明はこれらの具体例に限定して解釈されるべきではなく、本発明の範囲は添付の請求の範囲によってのみ限定される。
【符号の説明】
【００８０】  １…報知システム  ２Ａ…第１報知装置  ２Ｂ…第２報知装置  ２Ｃ…第３報知装置  ３Ａ…第１操作部  ３Ｂ…第２操作部  ３Ｃ…第３操作部  ４Ａ…制御装置  ４Ｂ…制御装置  ４Ｃ…制御装置  ２１…第１入力部  ２２…第２入力部  ２３…第３入力部  ２４…第４入力部  ２５…第５入力部  ２６…第６入力部  ２７Ａ…第１制御部  ２７Ｂ…第２制御部  ２７Ｃ…第３制御部  ３１Ａ…第１出入力部  ３１Ｂ…第２出入力部  ３１Ｃ…第３出入力部  ８１Ａ…第１主表示部  ８１Ｂ…第２主表示部  ８１Ｃ…第３主表示部  ８２Ａ…第１副表示部  ８２Ｂ…第２副表示部  ８３Ａ…別の第１副表示部  ８３Ｂ…別の第２副表示部  ＭＡ…機械装置  ＭＢ…機械装置  ＭＣ…機械装置
【図１】
0006986207.tif 000002
【図２】
0006986207.tif 000003
【図３】
0006986207.tif 000004